(57)【要約】【課題】図書館の新着雑誌収納棚に収納された新着雑誌の利用度を集計、分析し、新着雑誌の購入計画や収納場所等の参考とする。【解決手段】図書館に受け入れられた新着雑誌１に雑誌情報を記録したＩＣタグ２を取付けると共に、前記新着雑誌１を収納した雑誌収納棚３の各棚板４に、前記棚板４上に収納された新着雑誌１を利用者が取り出すと、その取り出されたことを検知するＲＦＩＤアンテナ６が設置され、且つ該ＲＦＩＤアンテナ６は、前記雑誌収納棚３に設置されたＲＦＩＤリーダー／ライター７に接続され、更に、該ＲＦＩＤリーダー／ライター７は、有線または無線により前記新着雑誌１の出入りを管理する管理パソコン８に接続される。【選択図】図１
2015131719.tif 000002
【特許請求の範囲】
【請求項１】
図書館に受け入れられた新着雑誌に雑誌情報を記録したＩＣタグを取付けると共に、前記新着雑誌を収納した固定棚や移動棚より成る雑誌収納棚の各棚板に、前記棚板上に収納された新着雑誌を利用者が取り出すと、その取り出されたことを検知するＲＦＩＤアンテナが設置され、且つ該ＲＦＩＤアンテナは、前記雑誌収納棚に設置されたＲＦＩＤリーダー／ライターに接続され、更に、該ＲＦＩＤリーダー／ライターは、有線または無線により前記新着雑誌の出入りを管理する管理パソコンに接続されたことを特徴とする図書館におけるＲＦＩＤアンテナ搭載雑誌棚による新着雑誌の利用度集計装置。
【発明の詳細な説明】
【技術分野】
【０００１】
本発明は、図書館において、ＲＦＩＤアンテナ付き棚板を装備した固定棚や移動棚の新着雑誌収納棚にＩＣタグ付きの新着雑誌を収納し、該新着雑誌の利用者が前記新着雑誌収納棚から取り出したことをＲＦＩＤアンテナが検知して、その情報をＲＦＩＤリーダー／ライターを介して管理パソコンに送信して、その雑誌の利用度を集計、分析し、新着雑誌の購入計画や収納場所等の参考とすることができる図書館におけるＲＦＩＤアンテナ搭載雑誌棚による新着雑誌の利用度集計装置に関するものである。
【背景技術】
【０００２】
従来、新着雑誌を館外貸出しない図書館が多く、そのため個々の新着雑誌の利用情報を集計、分析するということは全く行われておらず、また現在図書館に設置されている装置では、新着雑誌の利用度を集計するということは全くできなかった。そして、図書館における新着雑誌の利用度を集計するという技術思想につき、過去の特許文献を遡及検索しても１件の特許文献をも見出すことができなかった。単に、下記特許文献に示すＲＦＩＤアンテナとＲＦＩＤタグを用いた物品情報の読出装置を備える商品陳列棚が開示されているに過ぎない。
【先行技術文献】
【特許文献】
【０００３】
【特許文献１】特開２００５−３１２５７６号公報
【発明の概要】
【発明が解決しようとする課題】
【０００４】
前記従来の図書館においては、新着雑誌の利用度を集計することが全く行われていないので、どの新着雑誌を利用者が興味を示して収納棚から取り出した回数や、取り出した新着雑誌を収納棚に戻すまでの時間等を集計して、次回の新着雑誌の購入計画や収納場所のやの参考とすることが全くできないという課題があった。
【０００５】
また、前記特許文献１記載の発明は、「物品情報の読出装置を備える商品陳列棚」に関するものであって、読出装置からの電磁波が電磁遮蔽材によって影響されることなく、物品のＲＦＩＤタグに記録された物品情報を正確に読み出し可能な商品陳列棚を提供することを目的とするものであって、本発明におけるような図書館における新着雑誌の利用度を集計できるような機能は全くなく、図書館では使用できないという課題があった。
【０００６】
本発明は前記課題を解決すべくなされたものであって、図書館において、ＲＦＩＤアンテナ付き棚板を装備した固定棚や移動棚にＩＣタグ付きの新着雑誌を収納し、該新着雑誌の利用者が前記棚から取り出したことをＲＦＩＤアンテナが検知して、その情報をＲＦＩＤリーダー／ライターを介して管理パソコンに送信して、その新着雑誌の利用度を集計できるようにした図書館におけるＲＦＩＤアンテナ搭載雑誌棚による新着雑誌の利用度集計装置を提供しようとするものである。
【課題を解決するための手段】
【０００７】
本発明は、図書館に受け入れられた新着雑誌に雑誌情報を記録したＩＣタグを取付けると共に、前記新着雑誌を収納した固定棚や移動棚より成る雑誌収納棚の各棚板に、前記棚板上に収納された新着雑誌を利用者が取り出すと、その取り出されたことを検知するＲＦＩＤアンテナが設置され、且つ該ＲＦＩＤアンテナは、前記雑誌収納棚に設置されたＲＦＩＤリーダー／ライターに接続され、更に、該ＲＦＩＤリーダー／ライターは、有線または無線により前記新着雑誌の出入りを管理する管理パソコンに接続されるという手段を採用することにより、上記課題を解決した。
【発明の効果】
【０００８】
前記構成より成る本発明によれば、本発明図書館におけるＲＦＩＤアンテナ搭載雑誌棚による新着雑誌の利用度集計装置を、図書館の新着雑誌収納棚に設置することにより、各新着雑誌毎の取出し利用回数、利用時間等の数値を分析し、棚への新着雑誌の配架計画に利用することにより、利用度が高い新着雑誌を目立つ場所、または取り出しの容易な場所に配架（収納）し、利用度が低い新着雑誌を目立たない場所、または奥まっている場所に配架（収納）することなどの配架計画を行うことができる。また、前記情報を得て、新着雑誌の購入計画を再検討して、頻度の高いものに予算をかけるような提案をすることもできる。
【図面の簡単な説明】
【０００９】
【図１】本発明図書館におけるＲＦＩＤアンテナ搭載雑誌棚による新着雑誌の利用度集計装置を１台の雑誌棚に設置した状態を示す斜視図である。
【図２】本発明図書館におけるＲＦＩＤアンテナ搭載雑誌棚による新着雑誌の利用度集計装置に使用する架台に載置する新着雑誌の背面図である。
【実施例】
【００１０】
本発明の実施例を図面に基づいて詳細に説明する。図１は、本発明図書館におけるＲＦＩＤアンテナ搭載雑誌棚による新着雑誌の利用度集計装置を１台の雑誌棚に設置した状態を示す斜視図である。そして、雑誌棚が複数列の場合は、それぞれの雑誌棚に本発明図書館におけるＲＦＩＤアンテナ搭載雑誌棚による新着雑誌の利用度集計装置を設置することとなる。なお、前記雑誌棚が複数列の場合であっても、後述する管理パソコンは１台となる。
【００１１】
図書館に受け入れられた新着雑誌１には、図書名、発行年月日、発行者等の雑誌情報を記録したＩＣタグ２が取付けられる（図２においては、裏表紙に取付けられている）と共に、前記新着雑誌１を収納した固定棚や移動棚より成る雑誌収納棚３の各棚板４上には、前記新着雑誌１を斜めに載置して表紙全体が容易に視認できるように、架台５に斜め載置して展示することが好ましい（図１の架台５には、それぞれ２冊の新着雑誌１が載置されている）。なお、前記架台５を使用しない場合は、前記新着雑誌１を直接各棚板４上に載置してもよい。
【００１２】
また、前記各棚板４上には、前記架台５に載置して展示されている新着雑誌１を利用者が取り出すと、その取り出されたことを検知するＲＦＩＤアンテ６が設置されており、更に該ＲＦＩＤアンテナ６は、前記雑誌収納棚３に設置されたＲＦＩＤリーダー／ライター７に接続され、且つ該ＲＦＩＤリーダー／ライター７は有線または無線により、前記新着雑誌１の出入りを管理する管理パソコン８に接続されて形成されている。
【００１３】
前記構成より成る本発明によれば、利用者が架台５に載置して展示されている新着雑誌１から取り出すと、ＩＣタグ２に登録された前記取り出された新着雑誌１の情報および前記棚板４から対象の新着雑誌１が取り出されたことをＲＦＩＤアンテナ６が検知して、その情報をＲＦＩＤリーダー／ライター７が読み込み、更に前記読み込んだ情報を該ＲＦＩＤリーダー／ライター７から管理パソコン８に送信する。そして、前記一旦取出された新着雑誌１が前記架台５に戻されたときも、前記ＩＣタグ２により戻されたことをＲＦＩＤアンテナ６が検知して、その情報をＲＦＩＤリーダー／ライター７が読み込み、更に前記読み込んだ情報を該ＲＦＩＤリーダー／ライター７から管理パソコン８に送信する。
【００１４】
前記構成より成る本発明によれば、前記管理パソコン８に記憶されたデータを集計、分析することにより、新着雑誌１のうち、どの新着雑誌１の取り出し件数が多いかの情報を入手できるし、また雑誌タイトルによって取り出した曜日や時間帯を検出することができるので、数年単位で統計を取れば雑誌タイトル別の取り出し月・曜日・時間のデータの平均値が検出することができ、更に、取り出された新着雑誌１がいつ戻ったかの情報を統計分析することによって、各雑誌タイトルごとの利用の平均時間（期間）を算出することもできるので、次回の新着雑誌の購入計画や収納場所のやの参考とすることができる。
【００１５】
また、図示していないが、棚近くに個人のＩＤを認証するリーダーを設置することにより、個人認証後に利用された新着雑誌１の動きを分析・集計することにより、各利用者ごと（男性ｏｒ女性や年齢層別など）の行動パターンを統計分析することもできる。
【符号の説明】
【００１６】
１  新着雑誌
２  ＩＣタグ
３  収納棚
４  棚板
５  架台
６  ＲＦＩＤアンテナ
７  ＲＦＩＤリーダー／ライター
８  管理パソコン
【図１】
2015131719.tif 000003
【図２】
2015131719.tif 000004
【手続補正書】
【提出日】平成27年2月2日(2015.2.2)
【手続補正１】
【補正対象書類名】明細書
【補正対象項目名】０００１
【補正方法】変更
【補正の内容】
【０００１】
本発明は、図書館において、ＲＦＩＤアンテナ付き棚板を装備した固定棚や移動棚の新着雑誌収納棚にＩＣタグ付きの新着雑誌を収納し、該新着雑誌の利用者が前記新着雑誌収納棚から取り出したこと、および前記利用者が一旦取り出した新着雑誌を前記棚板上に戻したことをＲＦＩＤアンテナが検知して、その情報をＲＦＩＤリーダー／ライターを介して管理パソコンに送信して、その雑誌の利用度を集計、分析する図書館におけるＲＦＩＤアンテナ搭載雑誌棚による新着雑誌の利用度集計装置において、前記雑誌収納棚の棚板の近くに前記利用者の個人のＩＤを認証するリーダーを設置して、個人認証後に利用された新着雑誌の動きを分析・集計して、各利用者ごとの行動パターンを集計・分析して、新着雑誌の購入計画や収納場所等の参考とすることができる図書館におけるＲＦＩＤアンテナ搭載雑誌棚による新着雑誌の利用度集計装置に関するものである。
【手続補正２】
【補正対象書類名】明細書
【補正対象項目名】０００６
【補正方法】変更
【補正の内容】
【０００６】
本発明は前記課題を解決すべくなされたものであって、図書館において、ＲＦＩＤアンテナ付き棚板を装備した固定棚や移動棚にＩＣタグ付きの新着雑誌を収納し、該新着雑誌の利用者が前記棚から取り出したこと、および前記利用者が一旦取り出した新着雑誌を前記棚板上に戻したことをＲＦＩＤアンテナが検知して、その情報をＲＦＩＤリーダー／ライターを介して管理パソコンに送信して、その雑誌の利用度を集計、分析する一方、前記雑誌収納棚の棚板の近くに前記利用者の個人のＩＤを認証するリーダーを設置して、個人認証後に利用された新着雑誌の動きを分析・集計して、各利用者ごとの行動パターンを集計・分析できるようにした図書館におけるＲＦＩＤアンテナ搭載雑誌棚による新着雑誌の利用度集計装置を提供しようとするものである。
【手続補正３】
【補正対象書類名】明細書
【補正対象項目名】０００７
【補正方法】変更
【補正の内容】
【０００７】
本発明は、図書館に受け入れられた新着雑誌に雑誌情報を記録したＩＣタグを取付けると共に、前記新着雑誌を収納した固定棚や移動棚より成る雑誌収納棚の各棚板に、前記棚板上に収納された新着雑誌を利用者が取り出すと、その取り出されたことを検知すると共に、前記利用者が一旦取り出した新着雑誌を前記棚板上に戻したことを検知するＲＦＩＤアンテナが設置され、且つ該ＲＦＩＤアンテナは、前記雑誌収納棚に設置されたＲＦＩＤリーダー／ライターに接続され、更に、該ＲＦＩＤリーダー／ライターは、有線または無線により前記新着雑誌の出入りを管理する管理パソコンに接続されて、前記新着雑誌の利用回数および利用時間を分析・集計する図書館におけるＲＦＩＤアンテナ搭載雑誌棚による新着雑誌の利用度集計装置において、前記新着雑誌収納棚の棚板の近くに前記利用者の個人のＩＤを認証するリーダーを設置して、個人認証後に利用された新着雑誌の動きを分析・集計して、各利用者ごとの行動パターンを集計・分析することができるようにするという手段を採用することにより、上記課題を解決した。
【手続補正４】
【補正対象書類名】明細書
【補正対象項目名】０００８
【補正方法】変更
【補正の内容】
【０００８】
前記構成より成る本発明によれば、本発明図書館におけるＲＦＩＤアンテナ搭載雑誌棚による新着雑誌の利用度集計装置を、図書館の新着雑誌収納棚に設置することにより、各新着雑誌毎の取出し利用回数、利用時間、並びに利用者の性別、年齢等の個人情報を分析し、棚への新着雑誌の配架計画に利用することにより、利用度が高い新着雑誌を目立つ場所、または取り出しの容易な場所に配架（収納）し、利用度が低い新着雑誌を目立たない場所、または奥まっている場所に配架（収納）することなどの配架計画を行うことができる。また、前記情報を得て、新着雑誌の購入計画を再検討して、頻度の高いものに予算をかけるような提案をすることもできる。
【手続補正５】
【補正対象書類名】明細書
【補正対象項目名】００１４
【補正方法】変更
【補正の内容】
【００１４】
前記構成より成る本発明によれば、前記管理パソコン８に記憶されたデータを集計、分析することにより、新着雑誌１のうち、どの新着雑誌１の取り出し件数が多いかの情報を入手できるし、また雑誌タイトルによって取り出した曜日や時間帯を検出することができるので、数年単位で統計を取れば雑誌タイトル別の取り出し月・曜日・時間のデータの平均値が検出することができ、更に、取り出された新着雑誌１がいつ戻ったかの情報を統計分析することによって、各雑誌タイトルごとの利用の平均時間（期間）を算出することもできるので、次回の新着雑誌の購入計画や収納場所の参考とすることができる。
【手続補正６】
【補正対象書類名】明細書
【補正対象項目名】００１５
【補正方法】変更
【補正の内容】
【００１５】
また、図示していないが、棚近くに個人のＩＤを認証するリーダーを設置することにより、個人認証後に利用された新着雑誌１の動きを分析・集計することにより、各利用者ごと（男性ｏｒ女性や年齢層別など）の行動パターンを集計・分析することもできる。
【手続補正７】
【補正対象書類名】特許請求の範囲
【補正対象項目名】請求項１
【補正方法】変更
【補正の内容】
【請求項１】
図書館に受け入れられた新着雑誌に雑誌情報を記録したＩＣタグを取付けると共に、前記新着雑誌を収納した固定棚や移動棚より成る雑誌収納棚の各棚板に、前記棚板上に収納された新着雑誌を利用者が取り出すと、その取り出されたことを検知すると共に、前記利用者が一旦取り出した新着雑誌を前記棚板上に戻したことを検知するＲＦＩＤアンテナが設置され、且つ該ＲＦＩＤアンテナは、前記雑誌収納棚に設置されたＲＦＩＤリーダー／ライターに接続され、更に、該ＲＦＩＤリーダー／ライターは、有線または無線により前記新着雑誌の出入りを管理する管理パソコンに接続されて、前記新着雑誌の利用回数および利用時間を分析・集計する図書館におけるＲＦＩＤアンテナ搭載雑誌棚による新着雑誌の利用度集計装置において、
前記新着雑誌収納棚の棚板の近くに前記利用者の個人のＩＤを認証するリーダーを設置して、個人認証後に利用された新着雑誌の動きを分析・集計して、各利用者ごとの行動パターンを集計・分析することができるようにしたことを特徴とする図書館におけるＲＦＩＤアンテナ搭載雑誌棚による新着雑誌の利用度集計装置。